(57)【特許請求の範囲】
【請求項１】
スリッタ装置で広幅ウエブをスリットして複数の細幅ウエブとして巻軸に巻取り終えてなる複数のウエブロールの端末のコーナーをカットした後、複数のウエブロールの外周に胴巻包装を行なう装置において、
ウエブロールの端末をカット台に載置して端末のコーナーをカットするカット手段と、
胴巻テープを供給されたウエブロールをウエブ巻取り方向へ回転させることにより胴巻テープをウエブロールに巻き付ける胴巻手段と、
コーナーをカットされたウエブロールの端末とウエブロールとの間へウエブロールの外周をオーバーラップして覆う長さであってウエブロールの幅に対応した複数の胴巻テープを供給する供給手段と、
胴巻手段を構成する吸着ローラに粘着テープを貼着せしめる貼着手段とを備え、
前記カット手段は、複数のウエブロールの端末のコーナーを一つ置きにカットするために該端末を一つ置きに載置するカット台と、カット台上に載置されたウエブロールの端末をカット台上に抑止する抑止ロッドと、複数のウエブロールの端末のコーナーを一つ置きにカットするカッタと、複数のウエブロールの端末を上方に吹き上げる下側の通風ノズルと、複数のウエブロールの端末を下方に吹き下げて一つ置きにカット台に載置する上側の通風ノズルとを有し、
前記供給手段は、長尺な胴巻テープが繰り出し可能に巻き取られている供給リールと、供給リールから胴巻テープを繰り出すピンチローラと、ピンチローラにより繰り出される胴巻テープをウエブロールと端末との間へ案内するガイドと、繰り出される胴巻テープをウエブロールの外周をオーバーラップして覆う長さに切断するカッターとを有しており、
前記カット手段により複数のウエブロールの端末のコーナーを一つ置きにカットし、下側の通風ノズルにより複数のウエブロールの端末を上方に吹き上げるとともにカット台と抑止ロッドとカッタが左右方向に移動し、上側の通風ノズルにより複数のウエブロールの端末を下方に吹き下げて前回コーナーカットされなかったウエブロールの端末をカット台上に載置し、該端末を抑止ロッドで抑止してコーナーをカットした後、胴巻手段の回転により胴巻テープをウエブロールに巻き付けるとともに、吸着ローラの内部側から空気を引くことで粘着テープの非粘着面が吸着ローラの表面に吸着されるようにして、吸着ローラの長さ方向においてそれぞれのウエブロールに対応する位置ごとに吸着ローラに吸引保持せしめた複数の粘着テープを、それぞれのウエブロールの外周に巻き付けられた胴巻テープの端末から胴巻テープにかけて貼り付け、胴巻テープの端末を胴巻テープ自体に留め付けることを特徴とするウエブロール端末処理装置。
【発明の詳細な説明】
【０００１】
【発明の属する技術分野】
本発明は、巻軸に細幅ウエブを巻取り終えてなるウエブロールの端末のコーナーをカットした後、ウエブロールの外周に胴巻包装を行なうウエブロール端末処理装置に関する。
【０００２】
【従来の技術】
ロール状に巻かれた記録紙等のウエブロール製品は、原反の広幅ウエブをそのウエブ長さ方向にスリットして、所要の幅寸法にスリットされた複数の細幅ウエブそれぞれを、複数のコアそれぞれに巻取らせてコア付製品とするかあるいは巻軸に巻取り、ついで巻軸を引き抜いてコアレス製品として生産されている。そして、ウエブロール製品の使用時に、このウエブロール製品を現金自動預払機（ＡＴＭ）などの記録装置に装着するときには、巻取られたウエブロールの端末を巻き戻して記録装置に差し込んで巻取りを開始させる。このときウエブロールの端末が切断されたままの状態であると、記録装置などの差し込み口の幅がウエブロールの幅とほぼ同寸法であるため差し込み難く不便である。そこでウエブロールの端末を幅方向に手折って差し込み性をよくすると、ウエブロールの端末にロスが生じるうえに、記録用紙として印刷枠が施されているような場合には送り方向のずれも許されないので好ましくないという問題があった。
【０００３】
そこで、ウエブロール端末のコーナーを、例えば台形にカットして記録装置などの差し込み口に容易に差し込めるようにコーナーカット作業が施されるが、この作業は手作業で行われたりあるいは１個ずつ別工程で行われており、巻取行程の中で複数のウエブロールに対して同時に自動的にコーナーカットを施す技術は未だ見い出されていなかった。
【０００４】
また、巻き取られたウエブロールを端末が巻取り状態のままスリッタ装置から取り出すと、そのウエブロールを移送するなどの取扱い時に細幅ウエブが巻き戻されたり幅方向にずれたりして巻姿が悪くなる。そのため、一般的には粘着テープなどを用いて端末を固定する端末固定処理が行われている。しかしながら、ウエブロールの外周面に直接粘着テープを貼着すると、粘着力が弱い場合には容易に粘着テープが剥離してしまい、また粘着力が強過ぎるとウエブロールを使用する際にその粘着テープを取り外すのが困難になったり、粘着テープが貼着されたウエブロールの終端部の一部が破れるウエブロールの形態が損なわれ、その損傷部分を切り捨てるというロスが生じるなどの不都合があった。
【０００５】
また、製品としてウエブロールに端末処理しただけのものは、ウエブが外部に曝されているためにそのウエブの表面が傷つけられたり汚れたりするなどして商品価値が低下する。そのため、粘着テープ等で端末処理されたウエブロールは改めて包装紙などで胴巻包装されることが多い。しかしながら、このような胴巻包装は巻き終えたウエブロールをスリッタ装置から取り出して手作業で行なうなど効率が悪く、またスリッタ装置から取り出したウエブロールを１個ずつ自動胴巻包装装置に掛けるなどの試みもなされているが、別行程で包装作業を行なうことになってコスト上昇を招いて経済的でないなどの問題もあり、巻取行程の中で複数のウエブロールの端末コーナーカットと胴巻包装を同時に施す技術は未だ見い出されていなかった。
【０００６】
【発明が解決しようとする課題】
本発明は上記事情に鑑み、スリットされた細幅ウエブを巻取ってウエブロールを形成する巻取工程中にウエブロール端末のコーナーをカットし、ついで、ウエブロールに対して胴巻テープを供給して胴巻を行った後に粘着テープなどを用いて端末を固定する端末固定処理を施すことにより、使用する際に端末の差し込み性が良好で製品ロスが少なく美観に優れ、かつ経済性に優れたウエブロール製品の生産が可能なウエブロール端末処理装置を提供することを目的とする。
【０００７】
【課題を解決するための手段】
本発明は上記課題を技術的に解決する手段として、スリッタ装置で広幅ウエブをスリットして複数の細幅ウエブとして巻軸に巻取り終えてなる複数のウエブロールの端末のコーナーをカットした後、複数のウエブロールの外周に胴巻包装を行なう装置において、ウエブロールの端末をカット台に載置して端末のコーナーをカットするカット手段と、胴巻テープを供給されたウエブロールをウエブ巻取り方向へ回転させることにより胴巻テープをウエブロールに巻き付ける胴巻手段と、コーナーをカットされたウエブロールの端末とウエブロールとの間へウエブロールの外周をオーバーラップして覆う長さであってウエブロールの幅に対応した複数の胴巻テープを供給する供給手段と、胴巻手段を構成する吸着ローラに粘着テープを貼着せしめる貼着手段とを備え、前記カット手段は、複数のウエブロールの端末のコーナーを一つ置きにカットするために該端末を一つ置きに載置するカット台と、カット台上に載置されたウエブロールの端末をカット台上に抑止する抑止ロッドと、複数のウエブロールの端末のコーナーを一つ置きにカットするカッタと、複数のウエブロールの端末を上方に吹き上げる下側の通風ノズルと、複数のウエブロールの端末を下方に吹き下げて一つ置きにカット台に載置する上側の通風ノズルとを有し、前記供給手段は、長尺な胴巻テープが繰り出し可能に巻き取られている供給リールと、供給リールから胴巻テープを繰り出すピンチローラと、ピンチローラにより繰り出される胴巻テープをウエブロールと端末との間へ案内するガイドと、繰り出される胴巻テープをウエブロールの外周をオーバーラップして覆う長さに切断するカッターとを有しており、前記カット手段により複数のウエブロールの端末のコーナーを一つ置きにカットし、下側の通風ノズルにより複数のウエブロールの端末を上方に吹き上げるとともにカット台と抑止ロッドとカッタが左右方向に移動し、上側の通風ノズルにより複数のウエブロールの端末を下方に吹き下げて前回コーナーカットされなかったウエブロールの端末をカット台上に載置し、該端末を抑止ロッドで抑止してコーナーをカットした後、胴巻手段の回転により胴巻テープをウエブロールに巻き付けるとともに、吸着ローラの内部側から空気を引くことで粘着テープの非粘着面が吸着ローラの表面に吸着されるようにして、吸着ローラの長さ方向においてそれぞれのウエブロールに対応する位置ごとに吸着ローラに吸引保持せしめた複数の粘着テープを、それぞれのウエブロールの外周に巻き付けられた胴巻テープの端末から胴巻テープにかけて貼り付け、胴巻テープの端末を胴巻テープ自体に留め付けることを特徴とするウエブロール端末処理装置を提供して、上記課題を解消するものである。
【０００８】
【発明の実施の形態】
本発明を図１から図１１に示す実施の形態に基づいて詳細に説明する。図１は、図示しないスリッタ装置で広幅ウエブをスリットして複数の細幅ウエブとして巻取られたウエブロール２が搬入された後に、端末４をコーナーカットされ、ついで胴巻包装されるウエブロール端末処理装置１の側面図が示されている。ウエブロール端末処理装置１は、ウエブロール端末４のコーナーをカットするカット手段１０と、ウエブロール２をウエブ巻取り方向へ回転させることにより胴巻テープ３１をウエブロール２に巻き付ける胴巻手段２０と、胴巻テープ３１を供給する供給手段３０と、吸着ローラ２１に粘着テープ４３を貼着せしめる貼着手段４０とを備えている。
【０００９】
上記カット手段１０は、ウエブロール端末４を載置し端末４のコーナーをカットするカット台１１と、ウエブロール端末４をカット台１１上に抑止する抑止ロッド１２と、ウエブロール端末４のコーナーをカットするカッタ１３と、ウエブロール端末４を上下方向に吹上げおよび吹下げする一対の通風ノズル１４とを有し、かつ上記カット台１１、抑止ロッド１２およびカッタ１３が載設された基台１５を胴巻手段２０に対して前後および左右に移動可能とする駆動部１６Ａ、１６Ｂから構成されている。
【００１０】
図２（イ）において、図の上半分は抑止ロッド１２およびカッタ１３の配置された平面図であり、図の下半分はカット台１１が配置された平面図で、カッタ１３とカット台１１は上下に相対する位置に配置されている。図２（ロ）は正面図であり、抑止ロッド１２はそれぞれシリンダ１８Ａに連結され上下動可能となっており、カッタ１３は支持台１７に取り付けられ、支持台１７の両端部に設けられたシリンダ１８Ｂを介して基台１５に取り付けられ、上下動可能に支持されている。
【００１１】
カット台１１はウエブロール端末４が載置される大きさの方形状であって、連続して並置されたウエブロール端末４の一つ置きの位置に対応する間隔に設けられている。カット台１１の表面は、とくに限定されるものではないが、カット手段１０によるウエブロール端末４の切断状態を向上させ、カッタ１３の寿命を長期化させる目的で軟質材で被覆するのが好ましい。カット台１１に載置されたウエブロール端末４は、一つ置きの位置においてカット台１１に相対するカッタ１３でコーナーをカットされるが、他の一つ置きのウエブロール端末４はカット台１１の隙間から下方に垂下してカットが施されない構成となっている。
【００１２】
抑止ロッド１２は、ウエブロール端末４をカット台１１上に抑止するものであり、円形断面を有する筒状の錘からなり、カット台１１上に載置されたウエブロール端末４のほぼ中央部においてウエブロール端末４を抑止してコーナーカット時にウエブロール端末４が動かないように抑止できればよく、円形断面の面積はそのための摩擦抵抗を付与できればよい。また、断面形状も円形に限定されるものではなく、四角形、楕円形等任意の形状を取り得る。抑止ロッド１２は並置されたウエブロール２の数に対応する数が等間隔に配置され、カット台１１上に載置されたウエブロール端末４はカット台１１上に抑止するが、カット台１１に載置されない一つ置きのウエブロール端末４は抑止ロッド１２でカット台１１間の空隙から下方に押し下げ、カット台１１の下方に垂下させる。
【００１３】
カッタ１３は、垂直に立設した直線状カッタ刃をＶ字型に組み合わせて支持台１７に取り付けられており、支持台１７両端部において連結されているシリンダの動作により上下動してウエブロール端末４のコーナーをカッタ刃とカット台１１で挟圧してカットする。カットする端末４の形状は、直線状のカッタ刃をＶ字型に組み合わせたカッタ１３によれば、例えば、台形のコーナー形状が得られるが、カッタ刃を選択することにより、円形のコーナー形状など任意の形状を得ることが可能である。
【００１４】
上記カット台１１と抑止ロッド１２とカッタ１３とは基台１５上に載設されている。この基台１５は、駆動部１６Ａにより並置されたウエブロール２に対して左右（矢印Ｘ方向）へ移動可能に、駆動部１６Ｂにより並置されたウエブロール２に対して前後（矢印Ｙ方向）へ進退可能に設けられている。駆動部１６は、とくに限定されるものではなく、公知のエアシリンダ、モータ等によるアクチュエータを使用することができる。
【００１５】
１４Ａ、１４Ｂは一対の通風ノズルであって、ウエブロール端末４の上方および下方に並置されたウエブロール端末４に平行に配置されている。通風ノズル１４は、通風路を有するパイプに複数のノズル孔を備えた形状であって、上下一対１４Ａ、１４Ｂが配置され、上方に配置された通風ノズル１４Ａは連続して並置されたウエブロール２から延長する端末４を上方から下方へ吹き下ろす機能を有するとともに、コーナーをカットした後のカット片１９を吹き飛ばす効果も有している。下方に配置された通風ノズル１４Ｂは連続して並置されたウエブロール２から延長する端末４を下方から上方へ吹き上げる機能を有する。エアは図示しないエア供給設備からパイプに供給される。
【００１６】
上記胴巻手段２０は、図１に示すように、平行に並ぶ吸着ローラ２１と回転ローラ２２からなるものであり、所要時に吸着ローラ２１と回転ローラ２２の回転でウエブロール２をウエブ巻き取り方向に回転させ、後述するように胴巻テープ３１と細幅ウエブの末端とをウエブロール２自体に巻き取るように設けられている。２３はウエブロール２に上方から当接する押さえローラであって、所要の押圧力を保ちながら、この押さえローラ２３と吸着ローラ２１と回転ローラ２２とで上下方向から挟み込むようにしてウエブロール２の回転を安定させ良好な巻姿で細幅ウエブおよび胴巻テープ３１を巻き取る。
【００１７】
上記供給手段３０は、図１に示すように、胴巻手段２０の上方に配置されている。供給手段３０は、支持フレーム３７に供給リール３２とピンチローラ３３とガイド３４とテープカッタ３５とを取り付けてなるものであり、全体として一体に上下移動できるように支持されている。供給リール３２はウエブロール２の外周を巻くために使用される長尺でウエブロール２に対応する幅の複数の胴巻テープ３１が繰り出し可能に巻き取られており、胴巻テープ３１が対応するウエブロール２にそれぞれ胴巻をするように軸方向の位置決めがされている。また、この供給リール３２は繰り出し側に配置されているピンチローラ３３の所要量の回転動作によって所要長さの胴巻テープ３１がウエブロール２の外周を巻くために繰り出され、そのピンチローラ３３の下部に配置されたガイド３４に向けて送り出されるように設けられている。
【００１８】
ガイド３４は一対の板材を胴巻テープ３１が通る隙間を配して対向させたもので、さらに上方に位置する固定ガイド３４Ａとその固定ガイド３４Ａの下方にテープカッタ３５の動作空間を介して位置する回動可能な可動ガイド３４Ｂとの二つに上下分割されている。そして、可動ガイド３４Ｂは図示されているように、上端側を回転中心として支持フレーム３７に支持されていて、シリンダなどからなる伸縮手段の動作によって、胴巻手段２０側に緩やかに湾曲した下端側がウエブ供給方向に沿った方向（矢印Ｚ方向）に回動可能に設けられている。
【００１９】
テープカッタ３５は、上記ガイド３４の固定ガイド３４Ａと可動ガイド３４Ｂとの間において胴巻テープ３１の供給方向と直交するように対向配置された固定刃３５Ａと移動刃３５Ｂとからなり、所要長さ（ウエブロール２の外周を覆う長さ）の胴巻テープ３１が繰り出された時点で移動刃３５Ｂが前進し固定刃３５Ａと咬み合うことで胴巻テープ３１を切断するものである。
【００２０】
胴巻テープ３１を胴巻手段２０側に供給する上記構成の供給手段３０全体は、前記カット手段１０が胴巻手段２０に近接してコーナーカット動作を行っているときには胴巻手段２０から離れて上方に待機しており、コーナーカット動作が終了した後に降下し、ガイド３４の可動ガイド３４Ｂの下端がウエブロール２と端末４との間に臨むように位置する。そして、コーナーカット動作が終了すると、胴巻手段２０によりウエブロール２が巻取方向に回転するとともに、予め供給リール３２から可動ガイド３４Ｂに繰り出されている胴巻テープ３１が、押さえローラ２３と吸着ローラ２１と回転ローラ２２との回転によりウエブロール２の終端部からそのウエブロール２の外周を回って胴巻テープ３１自体に重なるように、即ち、オーバーラップする長さにして繰り出されるように設けられている。このようにウエブロール２自体と端末４となった細幅ウエブとの間に胴巻テープ３１を供給してウエブロール２が回転し始めることから、胴巻テープ３１の先端部分が細幅ウエブとともに巻き取られる形となってウエブロール２の外周を覆うようになる。
【００２１】
また、供給される胴巻テープ３１はウエブロール２のサイズに応じて予め設定された所要長さとされ、所要長さの胴巻テープ３１が繰り出された時点で上述したテープカッタ３５の働きによりその胴巻テープ３１を切断し、その切断の後に可動ガイド３４Ｂの下端まで新たな胴巻テープ３１を送り出すように設けられている。胴巻手段２０の上に配置されるウエブロール２のサイズに応じて上記ガイド３４の可動ガイド３４Ｂが回動し、可動ガイド３４Ｂの下端が各サイズのウエブロール２の終端部に適正に臨むように設けられている。
【００２２】
貼着手段４０は胴巻手段２０に対してカット手段１０の対向方向に配置されている（図１参照）。そして、この貼着手段４０は胴巻手段２０方向へ移動可能にして前記フレームに設けられたスライド機構４１とそのスライド機構４１により吸着ローラ２１に沿って案内される貼着機４２とからなるものであり、貼着機４２が胴巻手段２０の吸着ローラ２１に対して近接し、この吸着ローラ２１の長手方法に沿って移動できるように設けられ、貼着機４２はウエブロール２に巻いた胴巻テープ３１の端末処理を行なうための所定長さの粘着テープ４３を間欠的に供給するものである。この貼着手段４０は、ウエブロール２を覆う胴巻テープ３１の端末処理を行なう際に吸着ローラ２１に近接し、その吸着ローラ２１における胴巻テープ３１の端末４に対応する位置に所定長さの粘着テープ４３を転移させる。貼着手段４０はこの転移動作を吸着ローラ２１の長さ方向に移動しながらその吸着ローラ２１の長さ方向においてウエブロール２に対応する位置ごとに行なう。勿論、粘着テープ４３の非粘着面が吸着ローラ２１の表面に吸着されるようにしている。
【００２３】
図４に示すように、粘着テープ４３を受ける吸着ローラ２１自体は表面に多数の吸引孔４４を有しているものであって、吸着ローラ２１の内部側から空気を引くことで表面に転移された前記粘着テープ４３を吸引保持する。そして、図５に示すように回転して胴巻テープ３１の端末４に対応することになる吸着ローラ２１の対応位置に予め貼着手段４０によって粘着テープ４３が転移されていることから、この吸着ローラ２１が回転して粘着テープ４３がウエブロール２を覆う胴巻テープ３１の端末４に対応し、吸着ローラ２１からウエブロール２側に転移する時点で、胴巻テープ３１の端末４から胴巻テープ３１自体にかけて粘着テープ４３が貼着される。これによって、胴巻テープ３１の端末４が、ウエブロール２に接しない粘着テープ４３で留め付けられ、ウエブロール２の胴巻テープ３１による胴巻が終了する。
【００２４】
次に、図６〜図１１を参照して、本実施例の動作を説明する。巻取終了後、連続して並置されたウエブロール２は端末４が巻き戻され延長された状態で、端末４延長部分が下方に設けられた通風ノズル１４によって上方に吹き上げられ、上方に吹き上げられた端末４の下方にカット台１１が前進して端末４を載置する。ついで、上方に設けられた通風ノズル１４Ａにより端末４は下方に吹き下げられるが、カット台１１が一つ置きに存在するので、カット台１１が存在する位置では端末４はカット台１１上に載置され、カット台１１が存在しない位置では端末４は抑止ロッド１２に押し下げられカット台１１の間を抜けてカット台１１下方に垂下している。
【００２５】
カット台１１上に載置された端末４は、抑止ロッド１２が下降して筒状の錘が端末４を抑止する。端末４が抑止されると、カッタ１３が下降してコーナーをカットする。カットが終了すると通風ノズル１４Ａによりカット片１９が吹き飛ばされるとともに、カッタ１３および抑止ロッド１２は上昇して離反する。カッタ１３および抑止ロッド１２が上昇すると、再び下方に設けられた通風ノズル１４Ｂにより端末４全数が上方に吹き上げられる。このとき、端末４は一つ置きにコーナーがカットされている。
【００２６】
次に、上方に設けられた通風ノズル１４Ａで端末４全数が下方に吹き下げられるが、このときカット台１１が左右方向へ移動しているので、今度は、前回コーナーカットされなかって一つ置きの端末４がカット台１１上に載置され、前回コーナーカットされた端末４はカット台１１の下方に垂下している。そこで、再び抑止ロッド１２５が下降して筒状の錘が端末４を抑止する。端末４が抑止されると、カッタ１３が下降してコーナーをカットする。カットが終了すると通風ノズル１４Ａによりカット片１９が吹き飛ばされるとともに、カッタ１３および抑止ロッド１２は上昇して離反する。
【００２７】
このようにして、連続して並置された細幅ウエブロール２は、図１０に示すように、各端末４が一様に台形カットが施されている。コーナーカットは上記のような工程で、一度に一つ置きの端末４をカットし、二度目に残りの一つ置きの端末４をカットする工程が重要である。一度に全部の端末４をカットしようとすると、Ｖ型のカット刃を取りつけることは必然としても、連続して並置された細幅ウエブロール２の位置がカット手段１０と少しでもずれると、図１１に示すように、片方の端部のコーナーには鉤状エッジＫが発生して、記録装置等への差込み作業時に引掛かってしまうという不都合を生じるからである。
【００２８】
以上のようにして連続して並置されたウエブロール２の全端末４のコーナーカットが終了すると、光電管式検知器（図示省略）によりカットミスの検知を行った後、カット手段１０が載設された基台１５は離反する。
【００２９】
基台１５が離反すると供給手段３０全体が降下し、ガイド３４の可動ガイド３４Ｂの下端がウエブロール２と端末４との間に臨むように位置する。そして、胴巻手段２０によりウエブロール２が巻取方向に回転するとともに、予め供給リール３２から可動ガイド３４Ｂに繰り出されている胴巻テープ３１がウエブロール２の外周を回って胴巻テープ３１自体に重なるように、胴巻テープ３１の先端部分が細幅ウエブとともに巻き取られる形となってウエブロール２の外周を覆うようになる（図７参照）。
【００３０】
一方、吸着ローラ２１上において並置されたウエブロール２に対応する位置に貼着手段４０により貼着された粘着テープ４３は、吸着ローラ２１が回転してウエブロール２を覆う胴巻テープ３１の端末４に対応し、吸着ローラ２１からウエブロール２側に転移する時点で、胴巻テープ３１の端末４から胴巻テープ３１自体にかけて粘着テープ４３が貼着される（図８、９参照）。これによって、胴巻テープ３１の端末４が、ウエブロール２に接しない粘着テープ４３で留め付けられ、ウエブロール２の胴巻テープ３１による胴巻が終了する。
【００３１】
【発明の効果】
以上説明してきたように、本発明は二工程からなるカット方法により、鉤状のコーナーを生じるようなカットミスがない良好なコーナーカットが細幅ウエブロールの巻取工程中に行われることにより、ウエブロール製品の使用時に、現金自動預払機（ＡＴＭ）などの記録装置に容易に装着が可能で、かつウエブロール端末にロスが生じることないうえに、記録用紙として印刷枠が施されているような場合は送り方向のずれも発生しない良好な巻取製品が低コストで得られる。また、ウエブロールの終端部に胴巻テープが供給され、ウエブロールの胴巻手段による回転で胴巻テープが巻き取られるようにしてウエブロールの外周に巻かれるようになり、その胴巻テープはウエブロールの外周をオーバーラップ状に覆う長さとして供給されるように設けられているため、ウエブロールを周り方向に胴巻テープで覆うことができるようになる。そして、前記胴巻テープにより外部にウエブロールの外周面を晒さないようにすることが極めて簡単に行えるようになる。さらに、胴巻テープの端末に粘着テープを供給してその胴巻テープの端末を胴巻テープ自体に留め付けるようにしているため、ウエブロールの細幅ウエブ自体に粘着テープが貼着せず、粘着テープを剥ぎ取るなどの際、細幅ウエブに損傷を生じさせず、簡単に胴巻テープを剥ぎ取ることができ、製品としてウエブロールの取扱いが容易になる。よって、粘着テープを直接ウエブロールに貼着しないで、かつ巻取工程中に胴巻テープによりウエブロールの包装が可能になり、複数のウエブロールを巻くものにあってはその複数のウエブロールに同時に胴巻が可能となることから、人手を要することなくウエブロールを保護する包装が行えるなど、実用性に優れた効果を奏するものである。
【図面の簡単な説明】
【図１】本発明に係るウエブロール端末処理装置を概略的に示す側面図である。
【図２】カット手段の一部を示す図で、（イ）において、図の上半分は抑止ロッドおよびカッタの配置された平面図であり、図の下半分はカット台が配置された平面図であり、（ロ）は正面図である。
【図３】供給手段の概略側面図である。
【図４】吸着ローラおよび貼着手段を正面から見た状態で示す説明図である。
【図５】貼着手段から吸着ローラへ粘着テープを転移した状態を示す説明図である。
【図６】カット手段でコーナーカットを行なう状態を示す説明図である。
【図７】各ウエブロールに胴巻テープが供給された状態を示す説明図である。
【図８】吸着ローラによる粘着テープの貼着を示す説明図である。
【図９】胴巻包装されたウエブロール製品を示す説明図である。
【図１０】ウエブロール端末のコーナーが台形にカットされた状態を示す説明図である。
【図１１】ウエブロール端末のコーナー１工程でＶ型にカットしたときに、ウエブロールの境界線とＶ型の頂点がずれて、鉤状のカットが生じた状態を示す説明図である。
【符号の説明】
１ ウエブロール端末処理装置
２ ウエブロール
４ 端末
１０ カット手段
１１ カット台
１２ 抑止ロッド
１３ カッタ
１４Ａ 通風ノズル（上方）
１４Ｂ 通風ノズル（下方）
１５ 基台
１６Ａ 駆動部（左右方向）
１６Ｂ 駆動部（前後方向）
１７ 支持台
１８Ａ シリンダ（抑止ロッド用）
１８Ｂ シリンダ（カッタ用）
１９ カット片
２０ 胴巻手段
２１ 吸着ローラ
２２ 回転ローラ
２３ 押さえローラ
３０ 供給手段
３１ 胴巻テープ
３２ 供給リール
３３ ピンチローラ
３４ ガイド
３４Ａ 固定ガイド
３４Ｂ 可動ガイド
３５ テープカッタ
３５Ａ 固定刃
３５Ｂ 移動刃
３６ シリンダ
３７ 支持フレーム
４０ 貼着手段
４１ スライド機構
４２ 貼着機
４３ 粘着テープ
４４ 吸引孔
【図１】
0004170455.tif 000002
【図２】
0004170455.tif 000003
【図３】
0004170455.tif 000004
【図４】
0004170455.tif 000005
【図５】
0004170455.tif 000006
【図６】
0004170455.tif 000007
【図７】
0004170455.tif 000008
【図８】
0004170455.tif 000009
【図９】
0004170455.tif 000010
【図１０】
0004170455.tif 000011
【図１１】
0004170455.tif 000012